(57)【要約】【目的】  従来に比べてセキュリティを向上させたホログラムを用いた真贋判定装置を提供することを目的としている。【解決手段】  第１の筐体６１と第２の筐体６２とはヒンジを介して開閉可能に支持しされている。撮像素子５は第１の筐体６１に配置され、第１のホログラム２、第２のホログラム３及び光源４が第２の筐体６２に配置されている。第１の筐体６１と第２の筐体６２とを閉じたときに、光源４からの光の照射により、第１のホログラムのデータと前記第２のホログラムのデータとが干渉した干渉光が生成され、干渉光が前記撮像素子５で取得されて第２のホログラムの真贋判定が行われる。【選択図】図１
2014115454.tif 000002
【特許請求の範囲】
【請求項１】
第１の筐体と、
第２の筐体と、
前記第１の筐体と前記第２の筐体とを開閉自在に連結するヒンジと、
前記第１の筐体に配置された撮像素子と、
前記第１の筐体あるいは前記第２の筐体のいずれか一方に配置された第１のホログラムと、
前記第１の筐体あるいは前記第２の筐体のいずれか一方に配置された光源と、
前記第１の筐体あるいは前記第２の筐体のいずれか一方に配置された第２のホログラムと、を有し、
前記第１のホログラム、前記光源及び前記第２のホログラムのうち少なくともいずれか１つが前記第２の筐体に配置されており、
前記第１のホログラムは、前記第２のホログラムの真贋判定を行う際に、前記第２のホログラムのデータと干渉させるためのホログラムであり、
前記第２のホログラムは、真贋判定されるホログラムであり、
前記第１の筐体と前記第２の筐体とを閉じたときに、
前記光源からの光の照射により、前記第１のホログラムのデータと前記第２のホログラムのデータとが干渉した干渉光が生成され、前記干渉光が前記撮像素子で取得されて前記第２のホログラムの真贋判定が行われることを特徴とするホログラムを用いた真贋判定装置。
【請求項２】
前記第１のホログラム及び前記第２のホログラムの少なくともいずれか一方が、前記第２の筐体に配置される請求項１記載のホログラムを用いた真贋判定装置。
【請求項３】
第２のホログラムが配置される筐体側には、前記第２のホログラムを備えたカードを筐体内部に挿入可能な挿入口が設けられている請求項１又は２記載のホログラムを用いた真贋判定装置。
【請求項４】
前記第１のホログラム及び前記光源がともに前記第１の筐体に配置され、前記第２のホログラムは前記第２の筐体に配置される請求項１ないし３のいずれか１項に記載のホログラムを用いた真贋判定装置。
【請求項５】
前記第１のホログラム、前記光源及び前記第２のホログラムがともに前記第２の筐体に配置される請求項１ないし３のいずれか１項に記載のホログラムを用いた真贋判定装置。
【請求項６】
前記第１のホログラムは、透過型ホログラムであり、
前記第２のホログラムは、反射型ホログラムであり、
前記光源からの光が前記第２のホログラムにて反射され、その反射光が前記第１のホログラムに対する参照光として前記第１のホログラムに照射され、前記第１のホログラムを透過した前記干渉光が、前記撮像素子で取得されて前記第２のホログラムの真贋判定が行われる請求項１ないし５のいずれか１項に記載のホログラムを用いた真贋判定装置。
【請求項７】
前記第１のホログラム、前記光源、前記第２のホログラム及び前記撮像素子が同軸上に配置される請求項６記載のホログラムを用いた真贋判定装置。
【請求項８】
前記光源からの参照光が前記第１のホログラム及び前記第２のホログラムにそれぞれ照射されて第１の回折光及び第２の回折光が生成された後、前記第１の回折光と前記第２の回折光とを重ね合わせて前記干渉光が生成され、前記干渉光が前記撮像素子で取得されて前記第２のホログラムの真贋判定が行われる請求項１ないし５のいずれか１項に記載のホログラムを用いた真贋判定装置。
【請求項９】
前記第１のホログラム及び前記第２のホログラムは、いずれも反射型ホログラムであり、
前記参照光は、ビームスプリッタにより二手に分かれて第１の参照光が前記第１のホログラムに、第２の参照光が前記第２のホログラムにそれぞれ、照射され、前記第１の回折光と前記第２の回折光とは前記ビームスプリッタに戻されて重なり合う請求項８記載のホログラムを用いた真贋判定装置。
【請求項１０】
請求項１ないし９のいずれか１項に記載された真贋判定装置を備えた電子機器であって、
前記第１の筐体及び前記第２の筐体の少なくとも一方には、表示装置が設けられており、前記第２のホログラムに対する真贋判定に基づいて、前記表示装置の表示画面への表示あるいは操作が制御されることを特徴とする電子機器。
【請求項１１】
前記撮像素子は、撮影用のカメラを構成しており、前記第１の筐体と前記第２の筐体とを閉じたとき、前記第２のホログラムの真贋判定用を兼ねる請求項９記載の電子機器。
【発明の詳細な説明】
【技術分野】
【０００１】
本発明は、例えばパーソナルＩＤカードに付されたホログラムの真贋判定を行う真贋判定装置に関する。
【背景技術】
【０００２】
特許文献１には、ホログラムを用いた確認方法及び確認装置に関する発明が開示されている。
【０００３】
特許文献１の図１に示すように光源２からの参照光は、第１のホログラム１０に照射され、第１のホログラム１０の回折光３が第２のホログラム３０に照射される。そして第２のホログラム３０からの回折光４をデータ５として読み取っている。
【０００４】
この特許文献によれば、第２のホログラム３０はクレジットカードなどのカード１に取り付けられている。よってカード１を確認装置にかざすことで、第１のホログラム１０を透過した回折光３が第２のホログラム３０に対する参照光となり第１のホログラム１０と第２のホログラム３０との各データが干渉した回折光（干渉光）を得ることができる。
【０００５】
特許文献１によれば、［発明の効果］欄に、「１枚を確認される側が、もう１枚を確認する側が保有し、１枚のホログラムのみでは確認用データを得ることができないようにしたので、偽造は事実上不可能となり、偽造防止効果を格段に向上させることができる」と記載されている。
【先行技術文献】
【特許文献】
【０００６】
【特許文献１】特開平６−１１０３７７号公報
【発明の概要】
【発明が解決しようとする課題】
【０００７】
しかしながら特許文献１に開示されたホログラムを用いた確認装置では、第１のホログラム１０を透過した回折光３が、外に漏洩するため、前記回折光３から、第１のホログラム１０に記録されたデータが盗難される恐れがあった。
【０００８】
そこで本発明は上記従来の課題を解決するためのものであり、従来に比べてセキュリティを向上させたホログラムを用いた真贋判定装置及びそれを用いた電子機器を提供することを目的としている。
【課題を解決するための手段】
【０００９】
本発明における真贋判定装置は、
第１の筐体と、
第２の筐体と、
前記第１の筐体と前記第２の筐体とを開閉自在に連結するヒンジと、
前記第１の筐体に配置された撮像素子と、
前記第１の筐体あるいは前記第２の筐体のいずれか一方に配置された第１のホログラムと、
前記第１の筐体あるいは前記第２の筐体のいずれか一方に配置された光源と、
前記第１の筐体あるいは前記第２の筐体のいずれか一方に配置された第２のホログラムと、を有し、
前記第１のホログラム、前記光源及び前記第２のホログラムのうち少なくともいずれか１つが前記第２の筐体に配置されており、
前記第１のホログラムは、前記第２のホログラムの真贋判定を行う際に、前記第２のホログラムのデータと干渉させるためのホログラムであり、
前記第２のホログラムは、真贋判定されるホログラムであり、
前記第１の筐体と前記第２の筐体とを閉じたときに、
前記光源からの光の照射により、前記第１のホログラムのデータと前記第２のホログラムのデータとが干渉した干渉光が生成され、前記干渉光が前記撮像素子で取得されて前記第２のホログラムの真贋判定が行われることを特徴とするものである。
【００１０】
本発明によれば、第１の筐体と第２の筐体とを閉じたときに、第２のホログラムの真贋判定を行うため（第１の筐体と第２の筐体とが開いた状態では真贋判定は実行されない）、ホログラムデータが外に漏洩しない構成にできる。このように本発明では、ホログラムデータの漏洩を防止でき、従来に比べてセキュリティが高い真贋判定装置にできる。
【００１１】
本発明では、前記第１のホログラム及び前記第２のホログラムの少なくともいずれか一方が、前記第２の筐体に配置される構成としても、高いセキュリティを得ることができる。
【００１２】
また本発明では、第２のホログラムが配置される筐体側には、前記第２のホログラムを備えたカードを筐体内部に挿入可能な挿入口が設けられている構成にできる。これによりカードを挿入口に挿入するだけで筐体内にてカードが位置決めされ、適切に第２のホログラムの真贋判定を行うことができる。
【００１３】
また本発明では、前記第１のホログラム及び前記光源がともに前記第１の筐体に配置され、前記第２のホログラムは前記第２の筐体に配置される構成にできる。あるいは、前記第１のホログラム、前記光源及び前記第２のホログラムがともに前記第２の筐体に配置される構成にできる。
【００１４】
また本発明では、前記第１のホログラムは、透過型ホログラムであり、
前記第２のホログラムは、反射型ホログラムであり、
前記光源からの光が前記第２のホログラムにて反射され、その反射光が前記第１のホログラムに対する参照光として前記第１のホログラムに照射され、前記第１のホログラムを透過した前記干渉光が、前記撮像素子で取得されて前記第２のホログラムの真贋判定が行われる構成にできる。このとき、前記第１のホログラム、前記光源、前記第２のホログラム及び前記撮像素子が同軸上に配置されることが好ましい。
【００１５】
また本発明では、前記光源からの参照光が前記第１のホログラム及び前記第２のホログラムにそれぞれ照射されて第１の回折光及び第２の回折光が生成された後、前記第１の回折光と前記第２の回折光とを重ね合わせて前記干渉光が生成され、前記干渉光が前記撮像素子で取得されて前記第２のホログラムの真贋判定が行われる構成にすることもできる。このとき、前記第１のホログラム及び前記第２のホログラムは、いずれも反射型ホログラムであり、
前記参照光は、ビームスプリッタにより二手に分かれて第１の参照光が前記第１のホログラムに、第２の参照光が前記第２のホログラムにそれぞれ、照射され、前記第１の回折光と前記第２の回折光とは前記ビームスプリッタに戻されて重なり合う構成にできる。
【００１６】
また本発明は、上記のいずれかに記載された真贋判定装置を備えた電子機器であって、
前記第１の筐体及び前記第２の筐体の少なくとも一方には、表示装置が設けられており、前記第２のホログラムに対する真贋判定に基づいて、前記表示装置の表示画面への表示あるいは操作が制御されることを特徴とするものである。
【００１７】
例えば、第２のホログラムが本物と判断されたときに限って、表示画面への表示や操作を有効にすることで、セキュリティを向上させることができる。
【００１８】
本発明では、前記撮像素子は、写真や動画撮影用等のカメラを構成しており、前記第１の筐体と前記第２の筐体とを閉じたとき、前記第２のホログラムの真贋判定用を兼ねることが好ましい。
【００１９】
本発明では電子機器に取り付けられたカメラを、第２のホログラムの真贋判定用の撮像素子として用いることができる。これにより部品点数を少なくでき、製造コストを抑えることができ、また真贋判定装置の小型化に寄与できる。
【発明の効果】
【００２０】
本発明によれば、第１の筐体と第２の筐体とを閉じたときに、第２のホログラムの真贋判定を行うため、ホログラムデータが外に漏洩しない構成にできる。このように本発明では、ホログラムデータの漏洩を防止でき、従来に比べてセキュリティが高い真贋判定装置にできる。
【図面の簡単な説明】
【００２１】
【図１】図１は、真贋判定装置を備えた携帯用の電子機器の斜視図（開いた状態）である。
【図２】図２は、図１に示す電子機器の第１の筐体と第２の筐体とを閉じた状態を示す斜視図である。
【図３】図３は、本発明における第１実施形態のホログラムを用いた真贋判定装置の模式図（断面図）である。
【図４】図４は、本発明における第２実施形態のホログラムを用いた真贋判定装置の模式図（断面図）である。
【図５】図５は、本発明における第３実施形態のホログラムを用いた真贋判定装置の模式図（断面図）である。
【図６】図６は、本発明における第４実施形態のホログラムを用いた真贋判定装置の模式図（断面図）である。
【図７】図７は、本発明における第５実施形態のホログラムを用いた真贋判定装置の模式図（断面図）である。
【図８】図８は、本発明における第６実施形態のホログラムを用いた真贋判定装置の模式図（断面図）である。
【図９】図９は、本発明における第７実施形態のホログラムを用いた真贋判定装置の模式図（断面図）である。
【図１０】図１０は、本発明における第８実施形態のホログラムを用いた真贋判定装置の模式図（断面図）である。
【発明を実施するための形態】
【００２２】
図１は、真贋判定装置を備えた携帯用の電子機器の斜視図（開いた状態）であり、図２は、図１に示す電子機器の第１の筐体と第２の筐体とを閉じた状態を示す斜視図である。
【００２３】
電子機器Ｅは、第１の筐体６１と、第２の筐体６２と、第１の筐体６１と第２の筐体とを開閉自在に連結するヒンジ６３とを、備える。
【００２４】
電子機器Ｅは携帯用のゲーム機や携帯電話機、ノート型パーソナルコンピュータ等であるが、特に種類を限定するものではない。
【００２５】
図１は電子機器Ｅを開いた状態であり、図１の開いた状態で表を向く第１の筐体６１の第１の面６１ａには、液晶ディスプレイ等の表示装置の表示画面６４が現れている。図１に示すように第１の面６１ａには、表示画面６４の周辺の一部に透過窓６５が設けられている。この透過窓６５は、真贋判定装置１の作動時において、第１の筐体６１と第２の筐体６２との間で光を透過させるための窓である。
【００２６】
図１に示す表示画面６４は例えば静電容量式等のタッチパネルを構成していてもよい。
また図１の開いた状態で表を向く第２の筐体６２の第１の面６２ａには、各種釦６６，６６が設けられている。また第２の筐体６２の第１の面６２ａに表示画面が設けられていてもよいし、その表示画面がタッチパネルとなっていてもよい。
【００２７】
例えば、釦６６の操作により、表示画面６４の表示を動的に動かしたり、静的な表示を変更したり、表示画面６４への入力操作を行うことが可能になっている。
【００２８】
図１に示すように、第２の筐体６２の第１の面６２ａには、透過窓６７が設けられている。この透過窓６７は、第１の筐体６１と第２の筐体６２とを閉じたときに、第１の筐体６１側に設けられた透過窓６５と対向する位置に設けられる。
【００２９】
透過窓６７は、真贋判定装置１の作動時において、第１の筐体６１と第２の筐体６２との間で光を透過させるための窓である。
【００３０】
また図１に示すように、第２の筐体６２の側面６２ｂには挿入口６８が設けられている。この挿入口６８には、第２のホログラムを備えたカードを挿入することが可能である。
【００３１】
図２は、ヒンジ６３を介して第１の筐体６１と第２の筐体６２とを閉じた状態を示す。これにより図１で示した第１の筐体６１の第１の面６１ａと第２の筐体６２の第１の面６２ａとが相対向した状態となる。
【００３２】
図２に示すように、第１の筐体６１の表面（第１の面６１ａ側の面）には、第１の筐体６１内に内蔵されたＣＣＤカメラのレンズ１９が現れている。
【００３３】
図１，図２に示す電子機器Ｅでは、図１に示すように第１の筐体６１と第２の筐体６２とを開いた状態、あるいは図２に示すように第１の筐体６１と第２の筐体６２とを閉じた状態において、電子機器Ｅに内蔵されたＣＣＤカメラにより写真撮影を行うことが可能である。
【００３４】
本実施形態における真贋判定装置１は、電子機器Ｅの一部を構成する。真贋判定装置１には、図１に示す液晶ディスプレイ等の表示装置やその表示画面６４、釦６６、表示装置に対する制御回路等は含まれない。真贋判定装置１とともにこれらを含む構成が電子機器Ｅである。
【００３５】
図３は第１実施形態における真贋判定装置１（電子機器Ｅ）の断面図である。ただし図３以降の断面図においては筐体６１，６２のみを斜線で示した。
【００３６】
図３は、第１の筐体６１と第２の筐体６２とを閉じた状態を示す。したがって第１の筐体６１の第１の面６１ａと第２の筐体６２の第１の面６２ａとが接触あるいは近接した状態となっている。
【００３７】
図３に示すように、真贋判定装置１は、第１のホログラム２と、第２のホログラム３と、光源４と、撮像素子５とを有して構成される。
【００３８】
図３に示すように、撮像素子５は、第１の筐体６１内に配置されている。また、第１のホログラム２、第２のホログラム３及び光源４は、第２の筐体６２内に配置されている。ここで第１の筐体６１とは、撮像素子５が配置される側の筐体を意味する。そして図１では、第１の筐体６１に表示画面６４が配置されているが、第２の筐体６２に表示画面６４が配置され、第１の筐体６１に釦６６が配置される構成としてもよい。
【００３９】
図３に示すように、第１の筐体６１と第２の筐体６２とを閉じた状態では、第１のホログラム２は、光源４と撮像素子５との間に配置されている。
【００４０】
既述したように、第１の筐体６１の第１の面６１ａ及び第２の筐体６２の第１の面６１ａにはそれぞれ透過窓６５，６７が設けられている。これら透過窓６５，６７は、光を透過可能な材質、構成となっている。
【００４１】
図３に示すように、第１の筐体６１と第２の筐体６２とを閉じた状態では、第１のホログラム２、第２のホログラム３、光源４及び撮像素子５は同軸Ａ上に配置された状態となっている。各部材は、夫々、軸Ａ方向に間隔を空けて配置されている。ここで同軸Ａ上とは、第１のホログラム２、第２のホログラム３、光源４及び撮像素子５の各部材の中心が同じ軸上に一致した状態を指す。
【００４２】
図３に示すように、図示上方から下方に向けて（第１の筐体６１側から第２の筐体６２方向に向けて）、撮像素子５、第１のホログラム２、光源４、第２のホログラム３の順に並んでいる。
【００４３】
図３に示す第１のホログラム２は、所定厚を備える板状のプレート９の上面９ａに設けられている。また光源４はプレート９の下面９ｂに設けられている。光源４はＬＥＤやＬＤ等である。このように、同じプレート９の表裏面に第１のホログラム２と光源４とが設けられている。
【００４４】
プレート９は、透光性の材質である。図３に示すように光を透過する必要があるためである。
【００４５】
プレート９は第２の筐体６２あるいは図示しない支持部材により第２の筐体６２内にて固定支持されている。
【００４６】
図３に示す実施形態では、第１のホログラム２は透過型ホログラムであり、第２のホログラム３は反射型ホログラムである。
【００４７】
透過型ホログラム及び反射型ホログラムは、ホログラム記録層にデータを記録する際、参照光と物体光のホログラム記録層に対する照射方向を異ならせてホログラム記録層内での厚さ方向に対する干渉縞の方向を変えることで得ることができ、既存の方法を用いて製造できる。
【００４８】
第２のホログラム３はカード１０に設けられる。カード１０はパーソナルＩＤカード等であるが特に種類を限定するものではない。
【００４９】
第２のホログラム３は、図３に示す真贋判定装置１にて、個人認証等の真贋判定がされる側である。一方、第１のホログラム２は、第２のホログラム３の真贋判定を行う際、第２のホログラム３のデータと干渉させて、真贋判定データとなる干渉縞を作るためのいわばマスターキーとしての役割を担っている。
【００５０】
図３に示す実施形態では第１の筐体６１に保持された撮像素子５は例えば写真撮影用のＣＣＤカメラ１６を構成している。図示しないシャッター釦を押圧することで、写真を撮ることができる。そして本実施形態では図１に示すように第１の筐体６１と第２の筐体６２とを閉じた状態では、撮像素子５は第２のホログラム２の真贋判定用の撮像素子としても用いられる。
【００５１】
図３に示すように、光源４から発せられた光（参照光）（１）は、第２のホログラム３に向けて照射される。このとき反射型ホログラムである第２のホログラム３の干渉縞にて参照光（１）が回折して、反射光（回折光）（２）（３）を得ることができる。
【００５２】
図３の実施形態では、第２のホログラム３に異なる複数のデータが記録されており、各データの干渉縞で回折した複数の反射光（回折光）（２）（３）を得ることができる。図３では、反射光（回折光）（２）は平行光となり、反射光（回折光）（３）は発散光となっている。
【００５３】
反射光（回折光）（２）（３）は、位相及び光の強度データを含んでいる。図３に示すように反射光（回折光）（２）（３）は、第１のホログラム２に到達する。反射光（回折光）（２）（３）は、第１のホログラム２に対しては参照光として作用する。第１のホログラム２は透過型ホログラムであるから図１のように、光が第１のホログラム２を厚み方向に透過して、第１のホログラム２の下面側から複数の回折光（４）（５）を得ることができる。
【００５４】
これら回折光（４）（５）は、第１のホログラム２のデータと第２のホログラム３のデータとが干渉した干渉光であり、すなわち撮像素子５にて読み取られる干渉縞は、第１のホログラム２と第２のホログラム３の各データの位相が一致した部分では波が強めあい、異なっている部分では波が弱めあった第１のホログラム２と第２のホログラム３の複合データとして現れる。
【００５５】
ここで第２のホログラム３及び第１のホログラム２のそれぞれから複数の回折光が得られているが、一つの回折光のみが得られる構成であってもよい。
【００５６】
回折光（干渉光）（４）（５）は、透過窓６５，６７を透過して撮像素子５に到達する。
【００５７】
撮像素子５は、写真撮影用のＣＣＤカメラであるが、ＣＣＤやＣＭＯＳなどの画像センサであってもよい。撮像素子５にて読みだされた画像データが、あらかじめ登録されている画像データと一致するか否か判定する。一致していれば、第２のホログラム３は本物であると判定し、一致しなければ贋物であると判定する。
【００５８】
なお図３に示す真贋判定装置１には、画像データを登録し、画像データの照合、比較を行うための制御部が設けられている。例えばルックアップテーブルを用いた画像データ処理（アルゴリズム）にて行うことができる。
【００５９】
このように図３に示す実施形態では、光源４からの光（参照光）（１）は第２のホログラム３にて反射された後、その反射光（２）（３）が参照光として第１のホログラム２に照射され、第１のホログラム２を透過した回折光（４）（５）は、第１のホログラム２と第２のホログラム３との双方に記録されたデータが干渉した干渉光として撮像素子５で取得される。
【００６０】
このように本実施形態の真贋判定装置１によれば、第１の筐体６１と第２の筐体６２とを閉じたときに、光源４からの光の照射により、第１のホログラム２のデータと第２のホログラム３のデータとが干渉した干渉光が生成され、干渉光が撮像素子５にて取得され、第２のホログラム３の真贋判定が行われる。すなわち第１の筐体６１と第２の筐体６２とを開いた状態（図１の状態）では、光源４から光は照射されず、図１に示す透過窓６７から回折光（干渉光）（４）（５）（図３参照）が外部に漏れだすことがない。このように本実施形態では、ホログラムデータが外部への漏洩を防止でき、従来に比べてセキュリティが高い真贋判定装置１にできる。
【００６１】
図３に示すように本実施形態では、第１のホログラム２、光源４、第２のホログラム３及び撮像素子５を同軸Ａ上に配置できる。このため、光源４からの光（参照光）（１）、第２のホログラム３からの反射光（回折光）（２）（３）、及び第１のホログラム２からの回折光（干渉光）（４）（５）はすべて同じ方向の光軸（軸Ａに一致している）を持っている。このように、各部材を同軸Ａ上に配置したことで、各部材を横方向（同軸Ａ上に対して直交する方向）にずらして配置しなくてもよく、したがって真贋判定装置１及び電子機器Ｅの小型化を実現できる。
【００６２】
また図３では、第１のホログラム２と光源４とを同じプレート９に配置した。図３に示すように、第１のホログラム２と光源４とをプレート９の表裏面にて配置することで、第１のホログラム２と光源４とが同軸Ａ上となるように、第１のホログラム２と光源４とを適切かつ容易に位置合わせでき、かつ第１のホログラム２及び光源４を別々に支持する必要がなく、プレート９を支持する支持機構を設ければよいので、支持機構が複雑にならずかつ小型化を実現できる。
【００６３】
図３に示すように、第２の筐体６２に設けられた挿入口６８に第２のホログラム３を備えたカード１０を挿入することができる。挿入口６８にカード１０を挿入し、第１の筐体６１と第２の筐体６２とを閉じることで、第２のホログラム３に対する真贋判定を実行することができる。図３では、カード１０を挿入口６８に挿入するだけで筐体内にてカード１０が位置決めされ、適切に第２のホログラム３の真贋判定を行うことができる。
【００６４】
また図３に示すように第２の筐体６２には別の挿入口７１も設けられており、挿入口７１に媒体７２が挿入されている。媒体７２はゲーム、音楽、映像等の情報を備える媒体であり形態はカードやディスク等である。
【００６５】
第２のホログラム３の真贋判定により、第２のホログラム２が本物であると判定された場合には、電子機器Ｅを起動させて媒体７２を読み込み、図１に示すように第１の筐体６１と第２の筐体６２とを開いたときに、表示画面６４に対する表示が実行され、また釦６６等を用いた入力操作を可能とする。一方、第２のホログラム２が贋物と判断された場合には、媒体７２を読み込まず、所定の表示や入力操作をキャンセル、無効にできる。
【００６６】
このように本実施形態では、第２のホログラム３に対する真贋判定に基づいて、表示画面６４への表示や表示画面６４（表示装置）に対する操作を制御することができる。
【００６７】
図４に示す第２の実施形態では、光源４は、第１のホログラム２を支持するプレート９から離れている。それ以外の構成は図３と同じである。図４では光源４はプレート９とは別の透光性のプレート７０に固定支持されている。
【００６８】
図５は第３の実施形態である。図３と同じ部分については同じ符号を示す。図５では、第１の筐体６１と第２の筐体６２とを閉じた状態において、光源４が第１のホログラム２と撮像素子５との間に位置している。よって、図示上方から下方に向けて（第１の筐体６１側から第２の筐体６２方向に向けて）、撮像素子５、光源４、第１のホログラム２及び第２のホログラム３の順に配置されている。光源４は図示しない透光性のプレートに固定支持されている。
【００６９】
図５の構成では、光源４からの光（参照光）（１）が第１のホログラム２を透過しないように、第１のホログラム２を、第１のホログラム２ａと２ｂとに分離し、その間を参照光（１）が通るように、第１のホログラム２の形態を工夫している。これにより、光源４からの光が最初、第２のホログラム３に達して、第２のホログラム３にて反射した反射光（回折光）（２）（３）を第１のホログラム２に参照光として照射し、そして第１のホログラム２から回折光（干渉光）（４）（５）を得ることが可能な光学系を形成できる。なお図５では各光の表示を図３に比べて簡素化して示した。最初に第１のホログラム２に光を通してしまうと、第１のホログラム２から得られる回折光が第２のホログラム３を備えるカード１０を挿入することが可能な挿入口６８の位置で漏洩するので、図５に示すように最初に光が第１のホログラム２を通らないようにすることで、第１のホログラム２のデータがより確実に外に漏れることがないようにできる。よって第１のホログラム２のデータが盗まれる心配がなく、高いセキュリティを維持することができる。
【００７０】
なお、第１のホログラム２を２ａと２ｂとに分離せず、例えば第１のホログラム２の中心に穴を開けた形状にすることもできる。
【００７１】
また別の実施形態として、光源４からの光が最初に第１のホログラム２に到達し、続いて第１のホログラム２にて得られた回折光を参照光として第２のホログラム３に照射し、第２のホログラム３から、第１のホログラム２のデータと干渉した干渉光を得る形態とすることもできる。この光学系は特許文献１と類似するが、本実施形態では、挿入口６８に第２のホログラム３を備えるカード１０を挿入しかつ、第１の筐体６１と第２の筐体６２とを閉じて初めて、第２のホログラム３に対する真贋判定を行うように制御でき、これにより特許文献１と異なって、ホログラムデータが盗まれる心配がなく、高いセキュリティを維持することができる。
【００７２】
図３ないし図５に示す実施形態では、第２の筐体６２に第１のホログラム２、第２のホログラム３及び光源４が配置されていたが、図６に示す第４の実施形態では、第１の筐体６１に撮像素子５とともに第１のホログラム２及び光源４を配置している。
【００７３】
図７は、図４に示す実施形態を図６と同様に、第１の筐体６１に撮像素子５とともに第１のホログラム２及び光源４を配置した第５の実施形態であり、図８は、図５に示す実施形態を図６と同様に、第１の筐体６１に撮像素子５とともに第１のホログラム２及び光源４を配置した第６の実施形態である。
【００７４】
図６ないし図８に示すように、撮像素子５とともに第１のホログラム２及び光源４を第１の筐体６１に配置した構成では、例えば図６に示すように、第１のホログラム２を透過した回折光（干渉光）（４）（５）が第１の筐体６１内で生成されて撮像素子５に読み取られる構成であるから、よりセキュリティの高い構成にできる。
【００７５】
上記に挙げた図３ないし図６の各実施形態は、第２のホログラム３の真贋判定を行ううえでの好ましい形態であるが、第１の筐体６１に撮像素子５が配置され、第１のホログラム２、第２のホログラム３及び光源４のうち少なくともいずれか１つが、第２の筐体６２に配置される形態であれば、各部材の配置は図３ないし図６の形態以外としてもよい。
【００７６】
例えば、第１の筐体６１に、撮像素子５と第１のホログラム２が内蔵され、第２の筐体６２に、第２のホログラム３と光源４が配置される構成や、第１の筐体６１に、撮像素子５と光源４が配置され、第２の筐体６２に第１のホログラム２と第２のホログラム３が配置される構成とすることもできる。
【００７７】
また、第１のホログラム２は筐体内に固定支持されても、交換可能な状態で支持された状態であってもどちらでもよい。
【００７８】
図９に示す実施形態は、図３ないし図８に示す各実施形態と異なって、ビームスプリッタ６を有している。
【００７９】
図９に示す真贋判定装置３８は、第１の筐体６１に第１のホログラム２と、光源４と、撮像素子５と、ビームスプリッタ６とが配置されている。また第２の筐体６２に第２のホログラム３を備えたカード１０が配置されている。
【００８０】
図９に示す第１のホログラム２及び第２のホログラム３は、反射型ホログラムである。
図９に示すように第１の筐体６１には、内壁面に傾斜面６１ｃ，６１ｃが形成されており、傾斜面６１ｃ，６１ｃに反射板２２，２３が設けられている。反射板２２，２３は、例えばめっきで形成されている。反射板２２は、光源４からの光を反射してビームスプリッタ６の方向へ導くことができる傾きを有している。また、反射板２３は、第１の参照光７ａを反射して第１のホログラム２の方向に導くとともに、第１のホログラム２からの第１の回折光１１を反射してビームスプリッタ６の方向に導くことができる傾きを有して構成される。
【００８１】
図９に示すように、光源４からの光（参照光）７が反射板２２にて反射してビームスプリッタ６の方向に導かれる。ビームスプリッタ６で光７は第１の参照光７ａと第２の参照光７ｂの二手に分かれる。第１の参照光７ａはビームスプリッタ６を透過して、反射板２３にて第１のホログラム（マスターホログラム）２の方向に反射される。このとき反射型ホログラムである第１のホログラム２の干渉縞にて参照光７ａが回折して、反射光（第１の回折光）１１が生成される。そして第１の回折光１１が反射板２３に反射してビームスプリッタ６に戻される。
【００８２】
一方、ビームスプリッタ６で反射した第２の参照光７ｂが透過窓６５，６７を介して第２のホログラム３に照射される。このとき反射型ホログラムである第２のホログラム３の干渉縞にて参照光７ｂが回折して、反射光（第２の回折光）１２が生成される。そして第２の回折光１２がビームスプリッタ６に戻される。
【００８３】
第１の回折光１１は、ビームスプリッタ６で反射型の光となって撮像素子５の方向に向けて照射される。一方、第２の回折光１２は、ビームスプリッタ６で透過型の光となって撮像素子５の方向に向けて照射される。このときビームスプリッタ６に戻された第１の回折光１１と第２の回折光１２とが重なり合って干渉光１３が生成される。
【００８４】
そして干渉光１３が撮像素子５にて読み取られ、撮像素子５にて読みだされた画像データが、あらかじめ登録されている画像データと一致すれば、第２のホログラム３は本物であると判定し、一致しなければ贋物であると判定する。
【００８５】
図９では、第１のホログラム２、光源４及び撮像素子５を同じ基板２５上に設置している。したがって、第１のホログラム２、光源４及び撮像素子５の設置を簡単にできる。また各部材を平面配置したことで、真贋判定装置３８の低背化（薄型化）を実現できる。
【００８６】
図９に示す第７の実施形態は、図３ないし図８に示す実施形態と異なって、第１のホログラム２及び第２のホログラム３のそれぞれについて回折光１１，１２を生成し、その後、各回折光１１，１２を重ね合わせて干渉光１３を生成している。そして干渉光１３を撮像素子５で読み取っている。
【００８７】
図９に示す実施形態においても第１の筐体６１と第２の筐体６２とを閉じたときに第２のホログラム３の真贋判定が実行される。したがって高いセキュリティを得ることができる。
【００８８】
図９において、ビームスプリッタ６は第１の筐体６１に配置されているが、第２の筐体６２に配置できる光学系としてもよい。また、第１の筐体６１に撮像素子５が配置され、第１のホログラム２、第２のホログラム３及び光源４のうち少なくともいずれか１つが、第２の筐体６２に配置される形態であれば、各部材の配置を特に限定するものではない。
【００８９】
図１０に示す第８の実施形態では、図９と違ってビームスプリッタ６を使用しない構成となっている。
【００９０】
この実施形態では、第１のホログラム４１は透過型ホログラムであり、第２のホログラム４２は反射型ホログラムである。第１のホログラム４１は第１のプレート４３の図示右半分の領域にて構成されている。一方、第２のホログラム４２は第２のプレート４４の図示左半分の領域にて構成されている。図１０では、各プレート４３，４４、光源４０及び撮像素子５を同軸Ｂ上に配置できる。
【００９１】
図１０では、各ホログラム４１，４２が、光源４０の照射方向（Ｂ方向と平行な方向）に対して互いに逆方向にずれて配置されている。
【００９２】
図１０に示す第１のホログラム４１を備える第１のプレート４３は光を透過できる構成である。また図１０に示す第２のホログラム４２を備える第２のプレート４４は光を反射する構成となっている。
【００９３】
図１０に示すように、光源４０からの光（参照光４６）が第２のプレート４４の方向に照射される。参照光４６は第２のホログラム４２により反射されて第２の回折光４８が生成される。図１０に示すように第２の回折光４８は透過型プレートである第１のプレート４３を透過する。
【００９４】
また参照光４６は第２のプレート４４の右半分の領域で反射して、第１のホログラム４１に照射される。そして第１のホログラム４１から第１の回折光４７が生成される。各回折光４７，４８が撮像素子５の方向に導かれ、各回折光４７，４８が重なり合って干渉光５０が生成される。そして干渉光５０が撮像素子５に取得される。図１０に示すように各回折光４７，４８の撮像素子５への照射方向は異なっている。
【００９５】
図１０では図９と異なってビームスプリッタ６を有していないので、真贋判定装置５１の小型化を実現できる。図１０では、第１の筐体６１内に撮像素子５及び第１のホログラム４１が配置されており、第２の筐体６２内に光源４０及び第２のホログラム４２が配置されているが、部材の配置は図３ないし図９に準じて特に限定されるものではない。例えば、第１の筐体６１内に撮像素子５を配置し、第２の筐体６２内に、光源４０、第１のホログラム４１及び第２のホログラム４２を配置する構成にすることも可能である。
【００９６】
図１０に示すように、第１の筐体６１と第２の筐体６２とを閉じたときに、第２のホログラム４２の真贋判定が実行されるので、セキュリティの高い構成にできる。
【符号の説明】
【００９７】
Ｅ  電子機器
１、３８、５１  真贋判定装置
２、４１  第１のホログラム
３、４２  第２のホログラム
４、４０  光源
５  撮像素子
６  ビームスプリッタ
７ａ  第１の参照光
７ｂ  第２の参照光
９、４３、４４  プレート
１０  カード
１１  第１の回折光
１２  第２の回折光
１３、５０  干渉光
１６  カメラ
２２、２３  反射板
２８  透過窓
４６  参照光
４７、４８  回折光
６１  第１の筐体
６２  第２の筐体
６４  表示画面
６５  透過窓
６６  釦
６８、７１  挿入口
７２  媒体
【図１】
2014115454.tif 000003
【図２】
2014115454.tif 000004
【図３】
2014115454.tif 000005
【図４】
2014115454.tif 000006
【図５】
2014115454.tif 000007
【図６】
2014115454.tif 000008
【図７】
2014115454.tif 000009
【図８】
2014115454.tif 000010
【図９】
2014115454.tif 000011
【図１０】
2014115454.tif 000012